(57)【要約】【課題】紙に書かれた情報と電子情報との連携を効果的に実現する情報管理システム、情報作成装置、ウェブログ管理システム及びウェブログ作成装置を提供することを目的とする。【解決手段】情報を格納するためのデータベース４５を備えた情報管理システム１であって、前記データベース４５におけるデータの格納位置を特定する位置特定情報及び画像情報を含んだ原稿用紙を画像として読み取る読取手段１１０と、前記読取手段１１０により読み取られた画像から、前記位置特定情報及び前記画像情報を抽出する画像情報抽出手段３１０と、前記データベース４５において前記位置特定情報により特定されるデータの格納位置に、前記画像情報を格納する情報管理手段４１０とを有することを特徴とする情報管理システム１。【選択図】図３
2008236264.tif 000002
【特許請求の範囲】
【請求項１】
情報を格納するためのデータベースを備えた情報管理システムであって、
前記データベースにおけるデータの格納位置を特定する位置特定情報及び画像情報を含んだ原稿用紙を画像として読み取る読取手段と、
前記読取手段により読み取られた画像から、前記位置特定情報及び前記画像情報を抽出する画像情報抽出手段と、
前記データベースにおいて前記位置特定情報により特定されるデータの格納位置に、前記画像情報を格納する情報管理手段と、
を有することを特徴とする情報管理システム。
【請求項２】
前記原稿用紙は、さらに、処理を指示するための処理指示情報を含んでおり、
前記画像情報抽出手段は、さらに、前記読取手段により読み取られた画像から、前記処理指示情報を抽出し、
前記情報管理手段は、さらに、前記データベースにおいて前記位置特定情報により特定されるデータに、前記処理指示情報で示される処理を施すことを特徴とする請求項１に記載の情報管理システム。
【請求項３】
前記処理指示情報は、出力処理を指示するための出力指示情報であり、
当該情報管理システムは、画像出力を行う出力手段を有し、
前記情報管理手段は、さらに、前記データベースにおいて前記位置特定情報により特定される格納位置に格納されたデータを取得し、
前記出力手段は、前記出力指示情報に基づいて前記情報管理手段により取得されたデータを画像出力することを特徴とする請求項２に記載の情報管理システム。
【請求項４】
読み取られた画像に基づいて、ネットワークを介して接続されたデータベースに格納するための情報を作成する情報作成装置であって、
前記読み取られた画像から、前記データベースにおけるデータの格納位置を特定する位置特定情報及び前記データベースに格納する画像情報を抽出する画像情報抽出手段と、
前記位置特定情報により特定されるデータの格納位置に前記データベースに格納する画像情報を格納するためのディレクトリ情報を作成する管理情報作成手段と、
を有することを特徴とする情報作成装置。
【請求項５】
ウェブログデータを格納するためのデータベースを備えたウェブログ管理システムであって、
前記データベースにおけるウェブログデータの格納位置を特定する位置特定情報及び画像情報を含んだ原稿用紙を画像として読み取る読取手段と、
前記読取手段により読み取られた画像から、前記位置特定情報及び前記画像情報を抽出する画像情報抽出手段と、
前記データベースにおいて前記位置特定情報により特定されるウェブログデータの格納位置に、前記画像情報を格納する情報管理手段と、
を有することを特徴とするウェブログ管理システム。
【請求項６】
前記原稿用紙は、さらに、処理を指示するための処理指示情報を含んでおり、
前記画像情報抽出手段は、さらに、前記読取手段により読み取られた画像から、前記処理指示情報を抽出し、
前記情報管理手段は、さらに、前記データベースにおいて前記位置特定情報により特定されるデータに、前記処理指示情報で示される処理を施すことを特徴とする請求項５に記載のウェブログ管理システム。
【請求項７】
前記処理指示情報は、出力処理を指示するための出力指示情報であり、
当該情報管理システムは、画像出力を行う出力手段を有し、
前記情報管理手段は、さらに、前記データベースにおいて前記位置特定情報により特定される格納位置に格納されたウェブログデータを取得し、
前記出力手段は、前記出力指示情報に基づいて前記情報管理手段により取得されたウェブログデータを画像出力することを特徴とする請求項６に記載のウェブログ管理システム。
【請求項８】
前記情報管理手段は、さらに、前記ウェブログデータに対して付与されたコメントデータ及び／又はトラックバックデータを取得し、
該コメントデータ及び／又はトラックバックデータが存在しない場合、前記出力手段は画像出力を禁止することを特徴とする請求項７に記載のウェブログ管理システム。
【請求項９】
前記コメントデータ及び／又はトラックバックデータが存在する場合、前記情報管理手段は、該コメントデータ及び／又はトラックバックデータを付与した第３者に係るウェブログデータ及び／又はプロフィールデータを前記データベースから取得し、
前記出力手段は、前記第３者に係るウェブログデータ及び／又はプロフィールデータを画像出力することを特徴とする請求項８に記載のウェブログ管理システム。
【請求項１０】
読み取られた画像に基づいて、ネットワークを介して接続されたデータベースに格納するための情報を作成するウェブログ作成装置であって、
前記読み取られた画像から、前記データベースにおけるウェブログデータの格納位置を特定する位置特定情報及び前記データベースに格納する画像情報を抽出する画像情報抽出手段と、
前記位置特定情報により特定されるウェブログデータの格納位置に前記画像情報を格納するためのディレクトリ情報を作成する管理情報作成手段と
を有することを特徴とするウェブログ作成装置。
【請求項１１】
情報を格納するためのデータベースを備えた情報管理システムであって、
画像情報を含んだ第１の原稿用紙、前記データベースにおけるデータの格納位置を特定する位置特定情報を含んだ第２の原稿用紙を、それぞれ第１の画像、第２の画像として読み取る読取手段と、
前記読取手段により読み取られた第１の画像から前記画像情報を、並びに、第２の画像から前記位置特定情報を抽出する画像情報抽出手段と、
前記データベースにおいて前記位置特定情報により特定されるデータの格納位置に、前記画像情報を格納する情報管理手段と、
を有することを特徴とする情報管理システム。
【請求項１２】
ウェブログデータを格納するためのデータベースを備えたウェブログ管理システムであって、
画像情報を含んだ第１の原稿用紙、前記データベースにおけるデータの格納位置を特定する位置特定情報を含んだ第２の原稿用紙を、それぞれ第１の画像、第２の画像として読み取る読取手段と、
前記読取手段により読み取られた第１の画像から前記画像情報を、並びに、第２の画像から前記位置特定情報を抽出する画像情報抽出手段と、
前記データベースにおいて前記位置特定情報により特定されるウェブログデータの格納位置に、前記画像情報を格納する情報管理手段と、
を有することを特徴とするウェブログ管理システム。
【発明の詳細な説明】
【技術分野】
【０００１】
本発明は、情報管理システム、情報作成装置、ウェブログ管理システム及びウェブログデータ作成装置に関する。
【背景技術】
【０００２】
近年、インターネット上に個人の日記を載せた、ウェブログ（以降ブログとする）と総称されるＷｅｂサイトを用いた情報発信・情報交換の形態が盛んになっている。これは個人又は数人のグループの日記をインターネット上に公開したものである。公開された日記の内容に対して同じ興味、関心をもつユーザからのコメント機能、他のサイトの記事との連携機能であるトラックバック（日記の内容によって派生的に記述されたブログ・日記）機能等を有しており、インターネットという非常に広い範囲に発信できることから、人と人の結びつきが得られたり、またブログによって個人の知識、興味、関心が開示されることからそのユーザに対して他者から有益な情報がよせられたり、ブログに書かれた個人の意見が広く世の中に取り上げられたりといった影響力も持ち始めている。
【０００３】
しかしながら、ブログはインターネット上で実現されるものであり、パソコン等のインターネットへの接続機器と、ブログとしての電子情報の記述を必要とする。そのため、パソコン等のスキルのないユーザにとってはこれらの情報発信や情報を介した人との結びつきを享受できなかった。また、パソコン等のスキルはあるが、例えば家庭において育児や介護でまとまった時間をとれないユーザ、仕事においてはパソコンを利用するが家庭においては使いたくないユーザ等にとっても、情報発信する機会が失われていた。
【０００４】
また、ブログは電子情報で表現されるため、日記上での画像及びフォントの工夫には限度がある。即ち、手書きによる絵や文字のような個人毎の違いを表現できず、他のブログと識別しにくい、注目されないという問題もあった。
【０００５】
このようなことから、従来、ブログ等で用いられる電子情報と、紙に記載された手書きによる絵、文字等の情報との連携を計るシステムに係る種々の発明がなされている。
【０００６】
特許文献１には、ブログに画像とコメントを入れることにより個人のアルバムとしてブログを簡単に作れるようにした技術が開示されている。これにより、ユーザは日々日記をつける感覚でウェブサーバに画像、コメントを自由な形でアップロードすることができる。
【特許文献１】特開２００５―８４９０１号公報
【発明の開示】
【発明が解決しようとする課題】
【０００７】
しかしながら、特許文献１に開示された発明では、基本的にパソコンを操作することが必要になる。加えて、例えば紙に書かれた手書きによる絵や文字のような個人毎の違いを表す情報を表現できず、他のブログと識別しにくい、注目されないという問題があった。
【０００８】
本発明は、上記の点に鑑みて、この問題を解決するために発明されたものであり、紙に書かれた情報と電子情報との連携を効果的に実現する情報管理システム、情報作成装置、ウェブログ管理システム及びウェブログ作成装置を提供することを目的とする。
【課題を解決するための手段】
【０００９】
上記の目的を達成するために、本発明の情報管理システムは、情報を格納するためのデータベースを備えた情報管理システムであって、前記データベースにおけるデータの格納位置を特定する位置特定情報及び画像情報を含んだ原稿用紙を画像として読み取る読取手段と、前記読取手段により読み取られた画像から、前記位置特定情報及び前記画像情報を抽出する画像情報抽出手段と、前記データベースにおいて前記位置特定情報により特定されるデータの格納位置に、前記画像情報を格納する情報管理手段とを有するように構成することができる。
【００１０】
また、上記の目的を達成するために、本発明の情報管理システムでは、前記原稿用紙は、さらに、処理を指示するための処理指示情報を含んでおり、前記画像情報抽出手段は、さらに、前記読取手段により読み取られた画像から、前記処理指示情報を抽出し、前記情報管理手段は、さらに、前記データベースにおいて前記位置特定情報により特定されるデータに、前記処理指示情報で示される処理を施すように構成することができる。
【００１１】
また、上記の目的を達成するために、本発明の情報管理システムでは、前記処理指示情報は、出力処理を指示するための出力指示情報であり、当該情報管理システムは、画像出力を行う出力手段を有し、前記情報管理手段は、さらに、前記データベースにおいて前記位置特定情報により特定される格納位置に格納されたデータを取得し、前記出力手段は、前記出力指示情報に基づいて前記情報管理手段により取得されたデータを画像出力するように構成することができる。
【００１２】
また、上記の目的を達成するために、本発明の情報作成装置は、読み取られた画像に基づいて、ネットワークを介して接続されたデータベースに格納するための情報を作成する情報作成装置であって、前記読み取られた画像から、前記データベースにおけるデータの格納位置を特定する位置特定情報及び前記データベースに格納する画像情報を抽出する画像情報抽出手段と、前記位置特定情報により特定されるデータの格納位置に前記データベースに格納する画像情報を格納するためのディレクトリ情報を作成する管理情報作成手段とを有するように構成することができる。
【００１３】
また、上記の目的を達成するために、本発明のウェブログ管理システムは、ウェブログデータを格納するためのデータベースを備えたウェブログ管理システムであって、前記データベースにおけるウェブログデータの格納位置を特定する位置特定情報及び画像情報を含んだ原稿用紙を画像として読み取る読取手段と、前記読取手段により読み取られた画像から、前記位置特定情報及び前記画像情報を抽出する画像情報抽出手段と、前記データベースにおいて前記位置特定情報により特定されるウェブログデータの格納位置に、前記画像情報を格納する情報管理手段とを有するように構成することができる。
【００１４】
また、上記の目的を達成するために、本発明のウェブログ管理システムは、前記原稿用紙は、さらに、処理を指示するための処理指示情報を含んでおり、前記画像情報抽出手段は、さらに、前記読取手段により読み取られた画像から、前記処理指示情報を抽出し、前記情報管理手段は、さらに、前記データベースにおいて前記位置特定情報により特定されるデータに、前記処理指示情報で示される処理を施すように構成することができる。
【００１５】
また、上記の目的を達成するために、本発明のウェブログ管理システムでは、前記処理指示情報は、出力処理を指示するための出力指示情報であり、当該ウェブログ管理システムは、画像出力を行う出力手段を有し、前記情報管理手段は、さらに、前記データベースにおいて前記位置特定情報により特定される格納位置に格納されたウェブログデータを取得し、前記出力手段は、前記出力指示情報に基づいて前記情報管理手段により取得されたウェブログデータを画像出力するように構成することができる。
【００１６】
また、上記の目的を達成するために、本発明のウェブログ管理システムでは、前記情報管理手段は、さらに、前記ウェブログデータに対して付与されたコメントデータ及び／又はトラックバックデータを取得し、該コメントデータ及び／又はトラックバックデータが存在しない場合、前記出力手段は画像出力を禁止するように構成することができる。
【００１７】
また、上記の目的を達成するために、本発明のウェブログ管理システムでは、前記コメントデータ及び／又はトラックバックデータが存在する場合、前記情報管理手段は、該コメントデータ及び／又はトラックバックデータを付与した第３者に係るウェブログデータ及び／又はプロフィールデータを前記データベースから取得し、前記出力手段は、前記第３者に係るウェブログデータ及び／又はプロフィールデータを画像出力するように構成することができる。
【００１８】
また、上記の目的を達成するために、本発明のウェブログ作成装置は、読み取られた画像に基づいて、ネットワークを介して接続されたデータベースに格納するための情報を作成するウェブログ作成装置であって、前記読み取られた画像から、前記データベースにおけるウェブログデータの格納位置を特定する位置特定情報及び前記データベースに格納する画像情報を抽出する画像情報抽出手段と、前記位置特定情報により特定されるウェブログデータの格納位置に前記画像情報を格納するためのディレクトリ情報を作成する管理情報作成手段とを有するように構成することができる。
【００１９】
また、上記の目的を達成するために、本発明のウェブログ作成装置は、情報を格納するためのデータベースを備えた情報管理システムであって、画像情報を含んだ第１の原稿用紙、前記データベースにおけるデータの格納位置を特定する位置特定情報を含んだ第２の原稿用紙を、それぞれ第１の画像、第２の画像として読み取る読取手段と、前記読取手段により読み取られた第１の画像から前記画像情報を、並びに、第２の画像から前記位置特定情報を抽出する画像情報抽出手段と、前記データベースにおいて前記位置特定情報により特定されるデータの格納位置に、前記画像情報を格納する情報管理手段とを有するように構成することができる。
【００２０】
また、上記の目的を達成するために、本発明のウェブログ管理システムは、ウェブログデータを格納するためのデータベースを備えたウェブログ管理システムであって、画像情報を含んだ第１の原稿用紙、前記データベースにおけるデータの格納位置を特定する位置特定情報を含んだ第２の原稿用紙を、それぞれ第１の画像、第２の画像として読み取る読取手段と、前記読取手段により読み取られた第１の画像から前記画像情報を、並びに、第２の画像から前記位置特定情報を抽出する画像情報抽出手段と、前記データベースにおいて前記位置特定情報により特定されるウェブログデータの格納位置に、前記画像情報を格納する情報管理手段とを有するように構成することができる。
【発明の効果】
【００２１】
本発明の情報管理システム、情報作成装置、ウェブログ管理システム及びウェブログ作成装置によれば、紙に書かれた情報と電子情報との連携を効果的に実現することができる。
【発明を実施するための最良の形態】
【００２２】
以下、本発明を実施するための最良の形態を各実施形態において図面を用いて説明する。
【００２３】
［第１の実施形態］
以下、本発明の第１の実施形態について図１〜１０を用いて説明する。
（システム概要）
まず、本実施形態１に係る情報管理システムの概要について図１を用いて説明を行う。図１は、本実施形態１に係る情報管理システムの概要を示す図である。図１において、情報管理システム１は、読取装置１０、情報管理装置２０を有する。
【００２４】
読取装置１０は、紙に書かれた情報を画像として読み取る装置である。例えばスキャナ等である。情報管理装置２０は、電子情報を管理する装置である。図示しないデータベース等の記憶部を有するＰＣ装置等である。
【００２５】
以上に示される構成により、本実施形態１に係る情報管理システム１では、読取装置１０は、原稿用紙等の紙に書かれた情報を画像として読み取る。原稿用紙には、予め画像情報や識別情報等が記載されている。ここでの画像情報とは、例えば紙にユーザにより手書き入力された絵、文字等の情報である。ここでの識別情報とは、例えば情報管理装置２０の図示しない記憶部におけるデータの格納位置を特定するＵＲＬ（Ｕｎｉｆｏｒｍ  Ｒｅｓｏｕｒｃｅ  Ｌｏｃａｔｏｒ）等の位置特定情報である。
【００２６】
情報管理装置２０は、読取装置１０により読み取られた画像から画像情報、識別情報を抽出し、抽出された識別情報に基づいて図示しない記憶部において該画像情報を電子情報、ここでは電子情報Ａとして格納する。識別情報が位置特定情報である場合、図示しない記憶部において位置特定情報により特定されるデータの格納位置に該画像情報を電子情報として格納する。
【００２７】
これにより、紙に書かれた情報と電子情報との連携を実現する。これを実現するための詳細構成例等については後述する。
【００２８】
なお、情報管理装置２０は、一の装置により実現されてもよいが、例えばクライアント／サーバ装置等、複数の装置により実現されてもよいものとする。また、原稿用紙に記載される画像情報は、情報管理装置２０において管理される対象となる情報と同義であるため、管理対象の情報と言い換えてもよいものとする。
【００２９】
（システム構成例）
次に、本実施形態１に係る情報管理システムの構成例について図２を用いて説明を行う。図２は、本実施形態１に係る情報管理システムの構成例を示す図である。ここでは、情報管理システムの一例として、インターネット上に個人の日記を載せるウェブログの形態に係るウェブログ管理システムを例に説明を行うが、この場合に限らないものとする。
【００３０】
図２において、情報管理システム（ウェブログ管理システム）１は、読取装置１０、管理情報（ブログ）作成装置３０、及び該管理情報作成装置３０とインターネット等のネットワークを介して接続されたウェブサーバ装置４０により構成される。
【００３１】
管理情報作成装置３０は、ＣＰＵ（Ｃｅｎｔｒａｌ  Ｐｒｏｃｅｓｓｉｎｇ  Ｕｎｉｔ）３１、ＲＯＭ（Ｒｅａｄ  Ｏｎｌｙ  Ｍｅｍｏｒｙ）３２、ＲＡＭ（Ｒａｎｄｏｍ  Ａｃｃｅｓｓ  Ｍｅｍｏｒｙ）３３、送受信手段３４等を有する。ウェブサーバ装置４０は、ＣＰＵ４１、ＲＯＭ４２、ＲＡＭ４３、送受信手段４４、データベース４５等を有する。
【００３２】
読取装置１０は、紙に書かれた情報を画像として読み取る装置である。例えばスキャナ等である。管理情報作成装置３０は、読取装置１０により読み取られた画像から後述のデータベース４５に格納するためのフォーマットの情報を作成する装置である。
【００３３】
ＣＰＵ３１は、後述のＲＡＭ３３に格納されたプログラム等に従って処理を実行する中央演算装置である。ＲＯＭ３２は、画像に所定の処理を行うプログラム等を格納する記憶装置である。ＲＡＭ３３は、読取装置１０により読み取られた画像、ＲＯＭ３２に格納されたプログラム等を一時的に格納する記憶装置である。送受信手段３４は、インターネット回線等と接続しており、ウェブサーバ装置４０の送受信手段４４との間でデータを送受信するインタフェース装置である。
【００３４】
ウェブサーバ装置４０は、ブログに係るデータ等の電子情報を管理し、クライアント装置である管理情報作成装置３０等からのブログの閲覧要求等に従ってブログの公開等を行うサーバ装置である。
【００３５】
ＣＰＵ４１は、後述のＲＡＭ４３に格納されたプログラム等に従って処理を実行する中央演算装置である。ＲＯＭ４２は、送受信手段４４により受信したデータに所定の処理を行うプログラム等を格納する記憶装置である。ＲＡＭ４３は、送受信手段４４により受信したデータ、ＲＯＭ４２に格納されたプログラム等を一時的に格納する記憶装置である。送受信手段４４は、インターネット回線等と接続しており、管理情報作成装置３０の送受信手段３４との間でデータを送受信するインタフェース装置である。データベース４５は、ブログに係るデータ等の電子情報を格納する記憶装置である。
【００３６】
以上のシステム構成により、本実施形態１に係る情報管理システム１では、まず管理情報作成装置３０が、読取装置１０により読み取られた画像から後述のデータベース４５に格納するためのフォーマットの情報を作成する。作成された情報はウェブサーバ装置４０に送信され、ウェブサーバ装置４０は、受信した該情報に基づいてデータベース４５に格納された情報の管理を行う。情報の管理とは、例えばブログデータを作成、更新する処理等である。
【００３７】
なお、ウェブサーバ装置４０は、データベース４５へのデータの登録、閲覧時にユーザを認証するための図示しない認証部を有しており、管理情報作成装置３０から受信した情報が該当するユーザのものであるか否かの認証処理は、該認証部により行われる。
【００３８】
（機能の構成）
次に、本実施形態１に係る情報管理システム１の機能の構成例について図３を用いて説明を行う。図３は、本実施形態１に係る情報管理システム１の機能の構成例を示す図である。図３において、情報管理システム１は、読取手段１１０、画像情報抽出手段３１０、管理情報作成手段（ブログデータ作成手段）３２０、送受信手段３４、４４、情報管理部４１０を有する。情報管理部４１０は、ユーザ認証手段４２０、データベース制御手段４３０等を有する。
【００３９】
読取手段１１０は、紙に書かれた情報を画像として読み取る。例えば読取装置１０等である。画像情報抽出手段３１０は、読取手段１１０により読み取られた画像に対して画像処理を行うことにより画像に含まれる情報を抽出する。画像に含まれる情報とは、例えば位置特定情報及び画像情報である。
【００４０】
管理情報作成手段３２０は、画像情報抽出手段３１０により抽出された位置特定情報及び画像情報に基づいてデータベース４５に格納するためのフォーマットの情報を作成する。例えばＲＯＭ３２により格納されたプログラムに基づいてＣＰＵ３１が行う処理である。
【００４１】
情報管理部４１０は、データベース４５に格納された情報等の管理を行う。ユーザ認証手段４２０は、ユーザ認証を行う。例えば、送受信手段４４により管理情報作成装置３０から受信したユーザ識別データ等に基づいて行う。
【００４２】
データベース制御手段４３０は、データベース４５の制御を行う。例えばデータベース４５に格納されたデータの作成、更新等の処理を行う。
【００４３】
以上の機能の構成により、本実施形態１に係る情報管理システムでは、まず読取手段１１０は、原稿用紙等の紙に書かれた情報を画像として読み取る。続いて画像情報抽出手段３１０は、読取手段１１０により読み取られた画像から画像に含まれる情報を抽出する。管理情報作成手段３２０は、画像情報抽出手段３１０により抽出された情報に基づいてデータベース４５に格納するためのフォーマットの情報を作成する。
【００４４】
作成された情報は送受信手段３４によりウェブサーバ装置４０に送信され、ウェブサーバ装置４０の送受信手段４４が受信する。なお、このときユーザ識別データも同様に送受信手段３４によりウェブサーバ装置４０に送信される。ユーザ認証手段４２０は、送受信手段４４が受信したユーザ識別データに基づいてユーザ認証を行う。認証が成功するとデータベース制御手段４３０は、データベース４５に格納されたデータを作成、更新を行う。
【００４５】
（紙ブログ用紙の例）  
次に、本実施形態１に係る読取手段１１０が読み取る原稿用紙（該原稿用紙に基づいてブログを作成、更新するため、以降、これを紙ブログ用紙と呼ぶ）の例について図４を用いて説明を行う。図４は、本実施形態１に係る紙ブログ用紙の例を示す図である。
【００４６】
図４において、本実施形態１に係る紙ブログ用紙には、ブログのサイトに係る情報を記載する欄Ａ、ブログの作成日付を記載する欄Ｂ、ブログのタイトルを記載する欄Ｃ及びブログの本文を記載する欄Ｄが用紙フォーマットとして設けられている。
【００４７】
なお、これらブログに係るデータを総称してブログデータと呼ぶことにする。またブログのサイト情報（欄Ａ）、日付情報（欄Ｂ）は、データベース４５におけるデータの格納位置を特定する情報であるため以降ブログ特定情報と総称する。また、ブログのタイトル情報（欄Ｃ）、本文情報（欄Ｄ）は、ブログのコンテンツに係る情報であるため以降ブログコンテンツ情報と総称する。
【００４８】
以上に示されるように、紙ブログ用紙は、データベース４５におけるブログデータの格納位置を特定するためのブログ特定情報等の位置特定情報、ブログコンテンツ情報等の画像情報から構成されるブログデータを含んだ原稿用紙である。
【００４９】
本実施形態１に係る情報管理システム１では、図４のような紙ブログ用紙においてユーザの手書き入力等によりブログサイト、作成日付、タイトル、本文等の情報が記載される。
【００５０】
なお、図４の欄Ａは、例えば当該情報管理システム１のプロバイダーにより各ユーザに割り当てられたサイトの情報であり、該ユーザが使用する紙ブログ用紙上にＵＲＬとして予め印刷されていてもよい。また、２次元バーコード等を用いて表示されてもよい。
【００５１】
図４の欄Ｂは、チェックボックスになっているが、この場合に限らないものとする。ユーザの手書き入力等により記載されてもよいものとする。
【００５２】
以上の例で示されるような紙ブログ用紙を用いることにより、本実施形態１に係る情報管理システム１では、該紙ブログ用紙に書かれたブログ特定情報及びブログコンテンツ情報に基づいてブログの作成、更新を行う動作を実現する。後述の動作例及び具体例において詳細に説明を行う。
【００５３】
なお、ユーザ認証のためのユーザ識別データは、図４の紙ブログ用紙上で例えばチェックボックスや手書きで何桁かの数字を暗証番号として記述されてよい。
【００５４】
（動作例）
次に、本実施形態１に係る情報管理システム１の動作例について図５〜７を用いて説明を行う。図５は、本実施形態１に係る紙ブログ用紙とブログデータの対応例を示す表である。図６は、本実施形態１に係る管理情報作成装置３０の行う動作例を示すフローチャートである。図７は、本実施形態１に係る画像情報抽出手段３１０の行う動作例を示すフローチャートである。
【００５５】
ここでは、本実施形態１に係る情報管理システム１において、予め読取装置１により図４の紙ブログ用紙は画像として読み取られているものとする。また、図５で示される対応表が管理情報作成装置３０のＲＡＭ３３等の記憶装置に格納されているものとする。
【００５６】
このとき、管理情報作成装置３０が、画像として読み取られた図４の紙ブログ用紙に基づいてブログデータを抽出、並びにデータベース４５に格納するためのフォーマットの情報を作成する動作について説明を行う。図５の表の説明、続いて図６、７の動作の順に説明を行う。
【００５７】
図５は、図４の紙ブログ用紙上の抽出範囲、画像の種類、ブログデータの種類の対応表である。即ち、紙ブログ用紙上のどの部分（抽出範囲）にどの情報（画像の種類）が記載されていて、それがブログにおけるどの情報（ブログデータの種類）に該当するかを対応づけて記述したものである。
【００５８】
例えば、図５の１行目を参照すると、抽出範囲、画像の種類、ブログデータの種類は、それぞれ（Ｘ：１０−２０Ｙ：０―２）、２次元バーコード、ブログサイトと記述されている。これは、図４の紙ブログ用紙においてＸＹ軸の抽出範囲（Ｘ（横軸）：１０ｃｍ〜２０ｃｍ、Ｙ（縦軸）：０ｃｍ〜２ｃｍ）に含まれる画像の種類は、２次元バーコードとして認識され、該２次元バーコードはブログサイトに係る情報に該当することを示している。このとき、２次元バーコードを認識するプログラムが、抽出範囲で抽出された情報に対して起動し、情報を抽出する。抽出された情報は、ブログサイトの情報として管理情報作成装置３０の図示しない記憶部に格納される。
【００５９】
図６を用いて動作について説明を行う。まず、画像情報抽出手段３１０は、図５の表の全ての行について処理が行われたか否かを判定する（Ｓ１１）。処理が行われたと判定すると（Ｓ１１、ＹＥＳ）、ステップＳ１２へ移る。処理が行われていないと判定すると（Ｓ１１、ＮＯ）、ステップＳ１３へ移る。
【００６０】
ステップＳ１２へ移った場合、ブログデータの抽出は全て終了したので、管理情報作成手段３２０は、データベース４５に格納するためのフォーマットであるディレクトリ情報を作成する（Ｓ１２）。作成すると処理を終了する。
【００６１】
ステップＳ１３へ移った場合、ブログデータの抽出はまだ終了していないので、画像情報抽出手段３１０は、図５の表の未処理の行についてブログデータを抽出する（Ｓ１３）。ここで、ステップＳ１３における処理を詳細に示したものが図７である。図７は、図５の表の各行に対応するブログデータの抽出処理を示した動作のフローチャートである。まず、２次元バーコードからブログのサイトに係る情報を抽出する（Ｓ１３Ａ）次に、チェックボックスからブログの作成日付を抽出する（Ｓ１３Ｂ）。続いて、タイトルの欄に記載された文字情報からブログのタイトルを抽出する（Ｓ１３Ｃ）。続いて、本文の欄に記載された画像から本文を抽出する（Ｓ１３Ｄ）。
【００６２】
なお、ステップＳ１３Ａでは、ＵＲＬ等の文字情報に対してＯＣＲ（Ｏｐｔｉｃａｌ  Ｃｈａｒａｃｔｅｒ  Ｒｅａｄｅｒ）を行うことによりブログのサイトに係る情報を抽出してもよい。また、ステップＳ１３Ｂ，１３Ｃについても同様にＯＣＲを行うことにより情報を抽出してもよい。なお、画像抽出の方法は既存の画像処理の技術を用いてよい。
【００６３】
続いてステップＳ１４へ移って画像情報抽出手段３１０は、ブログデータの抽出は成功したか否かを判定する（Ｓ１４）。抽出が成功したと判定すると（Ｓ１４、ＹＥＳ）、ステップＳ１５へ移る。抽出が失敗したと判定すると（Ｓ１４、ＮＯ）、ステップＳ１６へ移る。
【００６４】
ステップＳ１５へ移った場合、管理情報作成手段３２０は、ステップＳ１３において抽出されたブログデータを図示しない記憶部に格納する。特にブログのサイトに係る情報とブログの作成日付（ブログ特定情報）を組み合わせて、ユーザの書いたブログの情報が格納されるディレクトリ情報を作成する。ディレクトリ情報の形式は対象となるブログサイトのデータ構成に依存するのでデータ構成に従って作成する方法を変更する。
【００６５】
ステップＳ１６へ移った場合、管理情報作成装置３０において例えば図示しない表示手段等は、ユーザに対してエラー通知を行い（Ｓ１６）、処理を終了する。
【００６６】
以上で示される動作により、本実施形態１に係る情報管理システム１では、管理情報作成装置３０が、画像として読み取られた図４の紙ブログ用紙に基づいてブログデータを抽出、並びにデータベース４５に格納するためのフォーマットのディレクトリ情報を作成する動作を行う。
【００６７】
さらに、管理情報作成装置３０において作成されたディレクトリ情報は、送受信手段３４によりウェブサーバ装置４０に送信される。送受信手段４４により該ディレクトリ情報を受信したウェブサーバ装置４０では、データベース制御手段４３０がブログ特定情報で示される格納先にブログコンテンツ情報を作成、更新する処理を行う。
【００６８】
そのため、以下に掲げる利点を奏する。その利点とは、紙ブログ用紙に書かれた情報と電子情報との連携によりブログの作成、更新を効果的に実現することができることである。また、ＰＣ等の機器における操作が不要で、紙のみに基づいてブログが作成できるので、パソコンが使えない人や使えない状況にある人が、ブログを簡単に作成することができるという別の利点も奏する。
【００６９】
（具体例）
次に、本実施形態１に係る情報管理システム１の動作の具体例について図８〜１０を用いて説明を行う。図８は、本実施形態１に係る紙ブログ用紙の記入例を示す図である。図９は、本実施形態１に係る紙ブログ用紙に基づいたブログデータの抽出結果の例を示す図である。図１０は、本実施形態１に係る紙ブログ用紙に基づいて作成されたブログの表示例を示す図である。
【００７０】
ここでは、予め紙ブログ用紙においてユーザの手書き入力等により、図８のようにブログデータであるブログサイト、作成日付、タイトル及び本文等の情報が記載されている。また、図８の紙ブログ用紙は、スキャナ、ＭＦＰ（Ｍｕｌｔｉ  Ｆｕｎｃｔｉｏｎ  Ｐｅｒｉｐｈｅｒａｌ）等の読取装置１０により画像として読み取られたものとする。
【００７１】
このとき、本実施形態１に係る管理情報作成装置３０が、上記の動作（図６、７参照）により画像からブログデータを抽出する具体例について説明する。
【００７２】
特にステップＳ１３の抽出処理について図７を用いて説明する。まず、２次元バーコードからブログのサイトに係る情報を抽出する（Ｓ１３Ａ）。ここでは、ブログのサイトに係る情報として「ｈｔｔｐ：／／ａａａ．ｂｂｂ．ｎｅｔ／ｂｌｏｇ／０１３５２／」を抽出する。続いて、チェックボックスからブログの作成日付を抽出する（Ｓ１３Ｂ）。ここでは、ブログの作成日付として２００６年３月２３日を抽出する。
【００７３】
続いて、タイトルの欄に記載された文字情報からブログのタイトルを抽出する（Ｓ１３Ｃ）。ここでは、ＯＣＲを行うことにより、ブログのタイトルとして「花の下で」を抽出する。続いて、本文の欄に記載された画像から本文を抽出する（Ｓ１３Ｄ）。ここでは、本文として画像データのまま抽出する。
【００７４】
次に、管理情報作成手段３２０は、上記のステップＳ１３の抽出処理により抽出されたブログデータに基づいてデータベース４５に格納するためのフォーマットであるディレクトリ情報を作成する（図６のステップＳ１２）。ディレクトリ情報とは、前述のステップＳ１３Ｂにおいて抽出されたブログのサイトにおいてブログの格納先となるディレクトリを含む情報であり、例えば図９で「ｈｔｔｐ：／／ａａａ．ｂｂｂ．ｎｅｔ／ｂｌｏｇ／０１３５２／ａｒｃｈｉｖｅｓ／５０」と示されるようにユーザにとって何番目のブログであるか等の情報を含んでいる。
【００７５】
ここでは、管理情報作成装置３０では、ユーザにより新しく作成されるブログがウェブサーバ装置４０のデータベース４５に格納された該ユーザの何番目のブログであるかを取得する取得指示が、送受信手段３４によりウェブサーバ装置４０に対して送信される。取得指示を受信したウェブサーバ装置４０の情報管理部４１０は、受信した指示に基づいてデータベース４５に格納されたブログデータから該当するユーザの何番目のブログであるかの情報を取得する。取得した情報は、管理情報作成装置３０に送信される。管理情報作成手段３２０は、該取得した情報及びステップＳ１３において抽出されたブログデータに基づいてディレクトリ情報（図９参照）を作成する。
【００７６】
作成されたディレクトリ情報は、送受信手段３４、４４を介してウェブサーバ装置４０に送信される。さらに、ディレクトリ情報を受信したウェブサーバ装置４０の情報管理部４１０は、ディレクトリ情報に基づいてデータベース４５に格納されたブログデータを作成、更新等を行う。
【００７７】
以上で示される動作により、本実施形態１に係る情報管理システム１では、管理情報作成装置３０は読み取られた画像からのブログデータの抽出、並びに該ブログデータに基づいたディレクトリ情報の作成、ウェブサーバ装置４０への送信の処理を行う。ディレクトリ情報を受信したウェブサーバ装置４０では、該ディレクトリ情報に基づいてデータベース４５に格納されたブログデータを作成、更新する。図１０は、ウェブサーバ装置４０において作成、更新されたブログの表示例を示している。
【００７８】
そのため、以下に掲げる利点がある。その利点とは、紙に書かれた情報と電子情報との連携を効果的に実現することができることである。また、ＰＣ等の機器が不要で、紙だけでブログが作成できるので、パソコンが使えない人や使えない状況にある人がブログを簡単に作成することができることである。また、図１０のように表示された本文のように、手書きによる絵や文字のような個人毎の違いを表す情報を表現することにより、他のブログとの差別化を図ることができることである。
【００７９】
［第２の実施形態］
以下、本発明の第２の実施形態について図１１〜１９を用いて説明する。
（システム概要）
まず、本実施形態２に係る情報管理システムの概要について図１１を用いて説明を行う。図１１は、本実施形態２に係る情報管理システムの概要を示す図である。図１１において、情報管理システム１は、読取装置１０、情報管理装置２０、出力装置５０を有する。
【００８０】
図１１で示される情報管理システム１の概要において、出力装置５０が加えられている点が実施形態１の情報管理システム（図１参照）と相違する。そのため、ここでは出力装置５０について説明を行う。
【００８１】
出力装置５０は、画像の出力を行う装置である。例えばプリンタ等である。また、読取装置１０と出力装置５０は、それぞれ別個の機器であってもよいが、両方の機能を兼ね備えたＭＦＰ等の一の装置により実現されてもよい。
【００８２】
以上に示される構成により、本実施形態２に係る情報管理システム１では、読取装置１０は、原稿用紙等の紙に書かれた情報を画像として読み取る。原稿用紙には、前述の実施形態１に加えてさらに、処理を指示するための処理指示情報（例えば印刷出力、削除等）が記載されている。
【００８３】
情報管理装置２０は、読取装置１０により読み取られた画像から、さらに、処理指示情報を抽出し、識別情報により識別される電子情報Ａに対して該処理指示情報で示される処理を行う。識別情報が位置特定情報である場合、図示しない記憶部において位置特定情報により特定されるデータに対して処理指示情報で示される処理を行う。
【００８４】
これにより、紙に書かれた情報と電子情報との連携を実現する。これを実現するための詳細構成例等については後述する。
【００８５】
（システム構成例）
次に、本実施形態２に係る情報管理システムの構成例について図１２を用いて説明を行う。図１２は、本実施形態２に係る情報管理システムの構成例を示す図である。ここでは、情報管理システムの一例として、インターネット上に個人の日記を載せるウェブログの形態に係るウェブログ管理システムを例に説明を行うが、この場合に限らないものとする。
【００８６】
図１２で示される情報管理システム１のシステム構成において、出力装置５０が加えられている点が実施形態１の情報管理システム（図２参照）と相違する。
【００８７】
以上のようなシステム構成により、本実施形態２に係る情報管理システム１では、まず管理情報作成装置３０が、読取装置１０により読み取られた画像から印刷出力、削除等の処理指示情報及び位置特定情報を抽出する。抽出された処理指示情報及び位置特定情報はウェブサーバ装置４０に送信され、ウェブサーバ装置４０は、受信した該位置特定情報により特定される情報に処理指示情報で示される処理を行う。例えばブログデータを印刷出力、削除する処理等である。
【００８８】
なお、ウェブサーバ装置４０は、データベース４５へのデータの登録、閲覧時にユーザを認証するための図示しない認証部を有しており、管理情報作成装置３０から受信した管理対象の情報が該当するユーザのものであるか否かの認証処理は、該認証部により行われる。
【００８９】
（機能の構成）
次に、本実施形態２に係る情報管理システムの機能の構成例について図１３を用いて説明を行う。図１３は、本実施形態２に係る情報管理システム１の機能の構成例を示す図である。図１３で示される情報管理システム１の機能の構成において、出力画像作成手段３３０、出力手段４００が加えられている点が実施形態１のウェブログ作成システム（図２参照）と相違する。そのため、ここでは出力画像作成手段３３０、出力手段４００について説明を行う。
【００９０】
出力画像作成手段３３０は、後述の出力手段４００により出力するための画像を作成する。例えばＲＯＭ３２に格納されたプログラムに基づいてＣＰＵ３１が行う処理であり、ウェブサーバ装置４０から送受信手段３４により受信したブログデータに基づいて出力用の画像を作成する。出力手段４００は、画像の出力を行う。例えば出力装置５０であり、出力画像作成手段３３０により作成された画像を印刷出力する。
【００９１】
以上の機能の構成により、本実施形態２に係る情報管理システムでは、まず読取手段１１０は、原稿用紙等の紙に書かれた情報を画像として読み取る。続いて、画像情報抽出手段３１０は、読取手段１１０により読み取られた画像から処理指示情報及び位置特定情報を抽出する。
【００９２】
抽出された処理指示情報及び位置特定情報は送受信手段３４によりウェブサーバ装置４０に送信され、ウェブサーバ装置４０の送受信手段４４が受信する。なお、このときユーザ識別データも同様に送受信手段３４によりウェブサーバ装置４０に送信される。ユーザ認証手段４２０は、送受信手段４４が受信したユーザ識別データに基づいてユーザ認証を行う。認証が成功すると、データベース制御手段４３０は、データベース４５において位置特定情報により特定される情報に処理指示情報で示される処理を行う。例えばブログデータを印刷出力、削除する処理等である。
【００９３】
（紙ブログコマンド用紙の例）
次に、本実施形態２に係る読取手段１１０が読み取る原稿用紙（該原稿用紙に基づいてブログデータに処理を行うため、以降、これを紙ブログコマンド用紙とする）の例について図１４を用いて説明を行う。図１４は、本実施形態２に係る紙ブログコマンド用紙の例を示す図である。
【００９４】
図１４において、本実施形態２に係る紙ブログコマンド用紙には、ブログのサイトに係る情報を記載する欄Ｅ、ブログに対して行う処理を選択するための欄Ｆ、対象のブログを日付で選択するための欄Ｇが用紙フォーマットとして設けられている。
【００９５】
以上に示されるように、紙ブログコマンド用紙は、データベース４５におけるブログデータの格納位置を特定するためのブログ特定情報等の位置特定情報、処理を指示するための処理指示情報を含んだ原稿用紙である。
【００９６】
本実施形態２に係る情報管理システム１では、図１４のような紙ブログコマンド用紙においてユーザの手書き入力等によりブログサイト、作成日付、ブログ処理指示情報である印刷出力、削除等の処理指示情報が記載される。
【００９７】
なお、図１４の欄Ｅは、例えば当該情報管理システム１のプロバイダーにより各ユーザに割り当てられたサイトの情報であり、該ユーザが使用する紙ブログコマンド用紙上に予め印刷されていてもよい。また、欄ＥのようにＵＲＬとして表示されてもよいし、２次元バーコード等を用いて表示されてもよい。
【００９８】
図１４の欄Ｆ、Ｇは、図１４ではチェックボックスになっているが、この場合に限らないものとする。ユーザの手書き入力等により記載されてもよいものとする。
【００９９】
以上の例で示されるような紙ブログコマンド用紙を用いることにより、本実施形態２に係る情報管理システム１では、該紙ブログコマンド用紙に書かれた位置特定情報及び処理指示情報に基づいてデータベース４５に格納されたブログデータを印刷出力したり削除したりする動作を実現する。後述の動作例及び具体例において詳細に説明を行う。
【０１００】
なお、ユーザ認証のためのユーザ識別データは、図１４の紙ブログコマンド用紙上で例えばチェックボックスや手書きで何桁かの数字を暗証番号として記述されてもよい。
【０１０１】
（出力動作例）
次に、本実施形態２に係る情報管理システム１の出力動作例について図１５及び１６を用いて説明を行う。図１５は、本実施形態２に係る情報管理システム１の行う出力動作例を示すフローチャートである。図１６は、本実施形態２の出力動作例に係る印刷出力例を示す図である。
【０１０２】
ここでは、本実施形態２に係る情報管理システム１において、予め読取装置１により図１４の紙ブログコマンド用紙に書かれた情報は画像として読み取られているものとする。また、前述の第１の実施形態で示された図５のような対応表が管理情報作成装置３０のＲＡＭ３３等の記憶装置に格納されているものとする。
【０１０３】
このとき、データベース４５に格納されたブログデータ等の情報を印刷出力する動作について説明を行う。
【０１０４】
まず、紙ブログコマンド用紙に印刷の指示があるか否かを判定する（Ｓ２１）。印刷の指示があると判定すると（Ｓ２１、ＹＥＳ）、ステップＳ２２へ移る。印刷の指示がないと判定すると（Ｓ２１、ＮＯ）、ここでは処理を終了する。
【０１０５】
ステップＳ２１では、画像情報抽出手段３１０は、図１４の紙ブログコマンド用紙の欄Ｆにおける選択、即ちチェックボックスのチェックを抽出する。続いて管理情報作成手段３２０は、抽出結果に基づいて印刷対象のブログデータに係る情報及び印刷指示情報を作成する。送受信手段３４は、作成された情報をウェブサーバ装置４０に送信する。
【０１０６】
ステップＳ２２へ移った場合、該当するブログデータにコメント及び／又はトラックバックが付与されているか否かを判定する（Ｓ２２）。付与されていると判定すると（Ｓ２２、ＹＥＳ）、ステップＳ２３へ移る。付与されていないと判定すると（Ｓ２２、ＮＯ）、ここでは処理を終了する。
【０１０７】
ステップＳ２２では、ウェブサーバ装置４０の送受信手段４４は、ステップＳ２１において送信された情報を受信する。データベース制御手段４３０は、受信した情報に基づいて印刷対象のブログデータをデータベース４５から抽出し、該ブログデータにコメント及び／又はトラックバックが付与されているか否かを判定する。
【０１０８】
ステップＳ２３へ移った場合、コメント及び／又はトラックバックがあるので、コメント及び／又はトラックバックの内容を印刷出力する（Ｓ２３）。ここでは、データベース制御手段４３０は、コメント及び／又はトラックバックを抽出する。抽出されたコメント及び／又はトラックバックは、送受信手段４４により管理情報作成装置３０に送信され、管理情報作成装置３０の送受信手段３４は、これを受信する。出力画像作成手段３３０は、受信したコメント及び／トラックバックに基づいて出力用の画像を作成する。出力手段５００は、出力画像作成手段３３０により作成された出力用の画像を出力する。図１６は、ブログデータがコメントと共に出力された画像の例を示している。
【０１０９】
以上で示される動作により、本実施形態２の出力動作例に係る情報管理システム１では、データベース４５に格納されたブログデータ等の情報を印刷出力する動作を行う。なお、コメントやトラックバックが存在し、印刷指示があった場合にコメントやトラックバックの有無を確認して印刷出力している。
【０１１０】
そのため、以下に掲げる利点を奏する。その利点とは、前述の実施形態１における利点に加えて、パソコンを使わずにブログを簡単に印刷できるので、パソコンを持たない、使えないユーザや状況においてもブログの閲覧が可能であることである。
【０１１１】
また、パソコンを使わずにブログを簡単に印刷する際に、自分のブログへのコメントやトラックバックがあったときにだけ実施できる。ステップＳ２２の処理のようにコメントデータ、トラックバックデータが存在しない場合に画像出力を行わない、即ち禁止することにより、無駄な印刷を防ぐことができる。
【０１１２】
なお、コメントとコメントデータ、及び、トラックバックとトラックバックデータは同義であるものとする。
【０１１３】
（出力動作例の変形例）
次に、本実施形態２に係る情報管理システム１の出力動作例の変形例について図１７及び１８を用いて説明を行う。図１７は、本実施形態２に係る出力動作例の変形例を示すフローチャートである。図１８は、本実施形態２の出力動作例の変形例に係る印刷出力例を示す図である。
【０１１４】
前述の出力動作例では、データベース４５に格納されたブログデータにコメントやトラックバックが存在し、印刷指示があった場合にコメントやトラックバックの有無を確認して印刷出力する動作を行った。ここでは、前述の出力動作例に加えて、コメント及び／又はトラックバックを付与したユーザ（第３者）のプロフィールデータ、該ユーザのブログデータ等も付加的に印刷出力する動作を行う。
【０１１５】
図１７で示されるフローチャートにおいて、Ｓ３１〜Ｓ３３に係る処理は、図１５におけるＳ２１〜Ｓ２３と同様であるとしてここでは説明を省略する。ここでは、ステップＳ３４に係る処理について説明を行う。
【０１１６】
ステップＳ３３の処理が終了すると、ステップＳ３４へ移って、コメント及び／又はトラックバックを付与したユーザの最新のブログデータ及び／又はプロフィールデータを印刷出力する（Ｓ３４）。
【０１１７】
ステップＳ３４では、データベース制御手段４３０は、ステップＳ３３において抽出されたコメント及び／又はトラックバックを付与したユーザの最新のブログデータ及び／又はプロフィールデータをデータベース４５に格納された情報から抽出する。抽出されたデータは、送受信手段４４により管理情報作成装置３０に送信され、管理情報作成装置３０の送受信手段３４がこれを受信する。出力画像作成手段３３０は、受信したデータに基づいて出力用の画像を作成する。出力手段５００は、出力画像作成手段３３０により作成された出力用の画像を出力する。図１８は、コメント及び／又はトラックバックを付与したユーザの最新のブログデータ、プロフィールデータが出力された画像の例を示している。
【０１１８】
以上で示される動作により、本実施形態２の出力動作例の変形例に係る情報管理システム１では、前述の出力動作例に加えて、コメント及び／又はトラックバックを付与したユーザのブログデータ、プロフィールデータ等も付加的に印刷出力する動作を行う。  
そのため、以下に掲げる利点を奏する。その利点とは、前述の出力動作例における利点に加えて、パソコンを使わずにブログを印刷する際に、自分のブログへのコメントやトラックバックをしてくれたユーザのプロフィールやブログが読めるので、自分に関連する情報だけを印刷でき、印刷の無駄がなく、かつ興味や関心のある記事だけを読むことができることである。
【０１１９】
（削除動作例）
次に、本実施形態２に係る情報管理システム１の削除動作例について図１９を用いて説明を行う。図１９は、本実施形態２に係る情報管理システム１の行う削除動作例を示すフローチャートである。
【０１２０】
前述の出力動作例及び出力動作例の変形例では、データベース４５に格納されたブログデータに付与されたコメント及び／又はトラックバック、並びに、コメント及び／又はトラックバックを付与したユーザ（第３者）のブログデータ、プロフィールデータを印刷出力する動作を行った。ここでは、データベース４５に格納されたブログデータを削除する動作について説明を行う。
【０１２１】
なお、予め読取装置１１により図１４の紙ブログコマンド用紙に書かれた情報は画像として読み取られているものとする。また、前述の第１の実施形態で示された図５のような対応表が管理情報作成装置３０のＲＡＭ２３等の記憶装置に格納されているものとする。
【０１２２】
まず、紙ブログコマンド用紙に削除の指示があるか否かを判定する（Ｓ４１）。削除の指示があると判定すると（Ｓ４１、ＹＥＳ）、ステップＳ４２へ移る。削除の指示がないと判定すると（Ｓ４１、ＮＯ）、ここでは処理を終了する。
【０１２３】
ステップＳ４１では、画像情報抽出手段３１０は、図１４の紙ブログコマンド用紙の欄Ｆにおける選択、即ちチェックボックスのチェックを抽出する。続いて管理情報作成手段３２０は、抽出結果に基づいて削除対象のブログデータに係る情報及び削除指示情報を作成する。送受信手段３４は、作成された情報をウェブサーバ装置４０に送信する。
【０１２４】
ステップＳ４２へ移った場合、該当のブログデータが存在するか否かを判定する（Ｓ４２）。該当するブログデータがあると判定すると（Ｓ４２、ＹＥＳ）、ステップＳ４３へ移る。該当するブログデータがないと判定すると（Ｓ４２、ＮＯ）、ここでは処理を終了する。
【０１２５】
ステップＳ４２では、ウェブサーバ装置４０の送受信手段４４は、ステップＳ４１において送信された情報を受信する。データベース制御手段４３０は、受信した情報に基づいて削除対象のブログデータがデータベース４５に格納されているか否かを判定する。
【０１２６】
ステップＳ４３へ移った場合、該当のブログデータを削除する（Ｓ４３）。ここでは、データベース制御手段４３０は、削除対象のブログデータに係る情報を削除する。
【０１２７】
以上で示される動作により、本実施形態２の削除動作例に係る情報管理システム１では、データベース４５に格納されたブログデータ等の情報を削除する動作を行う。
【０１２８】
そのため、以下に掲げる利点を奏する。その利点とは、前述の出力動作例及び出力動作例の変形例における利点に加えて、紙によってブログデータの削除処理が行なえ、パソコンを持たない、使えないユーザや状況にも対応が可能であることである。
【０１２９】
［第３の実施形態］
以下、本発明の第３の実施形態について図２０〜２３を用いて説明する。
【０１３０】
前述の第１、２の実施形態（図１、１１参照）では、１枚の紙に書かれた情報から抽出された識別情報に基づいて、紙に書かれた情報と電子情報Ａとの連携を実現した。
【０１３１】
ところで、複数の紙に書かれた情報が、互いにリンクする情報である場合を考えてみる。  例えば２枚の紙があり、１枚目の紙には第３者のブログに係る情報（図１８参照）が書かれていて、２枚目の紙にはコメントに係る情報のみ（図２２参照）が書かれている。ここで、２枚目の紙に書かれたコメントは１枚目の紙に書かれたブログに対するコメントであるような場合である。このとき、各々の紙に書かれた情報はスキャナ等により読み取られて電子情報として管理される際にリンクを持った状態で管理されることが望ましい。
【０１３２】
即ち、複数の紙に書かれた情報がスキャナ等によりそれぞれ読み取られて電子情報として管理される際、複数の電子情報間でリンクを持たせることが望ましい。しかしながら、前述の第１、２の実施形態においてはこの点については考慮されていなかった。
【０１３３】
本実施形態３では、上記の点に鑑みて、複数の紙に書かれた情報と電子情報との連携を実現することを目的とする情報管理システムについて説明を行う。
【０１３４】
（システム概要）
まず、本実施形態３に係る情報管理システムの概要について図２０を用いて説明を行う。図２０は、本実施形態３に係る情報管理システムの概要を示す図である。図２０において、情報管理システム１は、読取装置１０、情報管理装置２０を有する。
【０１３５】
読取装置１０及び情報管理装置２０は、前述の実施形態１と同様である（図１参照）としてここでは説明を省略する。
【０１３６】
以上に示される構成により、本実施形態３に係る情報管理システム１では、まず読取装置１０は、複数の原稿用紙等の紙（図２０では、紙Ａ、紙Ｂ）に書かれた情報を画像として読み取る。第１、２の原稿用紙である紙Ａ、Ｂには、それぞれ予め画像情報、識別情報等が記載されている。ここでの画像情報とは、例えば紙にユーザにより手書き入力された絵、文字等の情報である。ここでの識別情報とは、例えば情報管理装置２０の図示しない記憶部におけるデータの格納位置を特定するＵＲＬ等の位置特定情報である。
【０１３７】
情報管理装置２０は、読取装置１０により読み取られた複数の画像から画像情報、識別情報を抽出し、抽出された識別情報に基づいて図示しない記憶部において画像情報を電子情報、ここでは電子情報Ａ、Ｂとして格納する。また、記憶部に格納する際、電子情報Ａ、Ｂ間で関連をつけて格納する。これにより、複数の紙に書かれた情報と電子情報との連携を実現する。これを実現するための詳細構成例等については後述する。
【０１３８】
なお、ここでは複数の紙は読取装置１０により同時に読み取られるものとするがこの場合に限らない。また、情報管理装置２０は、一の装置により実現されてもよいが、例えばクライアント／サーバ装置等、複数の装置により実現されてもよいものとする。
【０１３９】
さらに、原稿用紙に記載される画像情報は、情報管理装置２０において管理される対象となる情報と同義であるため、管理対象の情報と言い換えてもよいものとする。
【０１４０】
本実施形態３に係る情報管理システム１のシステム構成及び機能の構成は、前述の実施形態１と同様である（図２、図３参照）として、ここでは説明を省略するが、以下本実施形態３に係る情報管理システム１の機能の構成例についての補足説明を行う。
【０１４１】
本実施形態３に係る情報管理システムでは、例えば、まず読取手段１１０は、複数の原稿用紙等の紙に書かれた情報を画像として読み取る。続いて画像情報抽出手段３１０は、読取手段１１０により読み取られた第１の画像から画像情報を、並びに、第２の画像からデータベース４５におけるデータの格納位置を特定する位置特定情報を抽出する。抽出された上記の画像情報及び位置特定情報を受信した管理情報作成手段３２０は、データベースにおいて位置特定情報により特定されるデータの格納位置に、画像情報を格納するフォーマットの情報を作成する。
【０１４２】
なお、このような動作の一例として、後述の紙ブログ用紙に基づいてコメント又はトラックバックを付与する動作について具体的に説明を行うが、この例に限定されないものとする。
【０１４３】
作成された情報はウェブサーバ装置４０に送信され、ウェブサーバ装置４０は、受信した該情報に基づいてデータベース４５に格納された情報の管理を行う。情報の管理とは、例えばブログデータを作成、更新する処理等である。
【０１４４】
また、ウェブサーバ装置４０は、データベース４５へのデータの登録、閲覧時にユーザを認証するための図示しない認証部を有しており、管理情報作成装置３０から受信した情報が該当するユーザのものであるか否かの認証処理は、該認証部により行われる。
【０１４５】
（紙ブログ用紙に基づいたコメント又はトラックバックの付与動作の例）
次に、本実施形態３に係る紙ブログ用紙に基づいたコメント又はトラックバックの付与動作の例について図２１〜２３を用いて説明を行う。図２１は、本実施形態３に係るトラックバックの付与を説明するため図である。図２２は、本実施形態３に係るコメントの付与を説明するための図である。図２３は、本実施形態３に係る管理情報作成装置３０の行う動作例を示すフローチャートである。
【０１４６】
ここでは、複数の紙に書かれた情報と電子情報との連携を実現する一例として、複数の紙に書かれた情報に基づいて他の人（第３者）のブログに対してトラックバック又はコメントを付与する動作について説明を行う。なお該動作の前提として、他の人（第３者）のブログに係る情報は、図１８のような用紙に識別情報であるＵＲＬ、トラックバックＵＲＬと共に記載されている。また、トラックバック又はコメントに係る情報は、それぞれ図２１又は図２２のような用紙に識別情報であるＵＲＬと共に記載されている。まず、図２１及び図２２の用紙の詳細説明、続いて図２３のフローチャートを用いた動作の説明を行う。
【０１４７】
図２１で示される紙ブログ用紙は、図４で示される紙ブログ用紙と同様に、ブログのサイトに係る情報を記載する欄Ａ、ブログの作成日付を記載する欄Ｂ、ブログのタイトルを記載する欄Ｃ及びブログの本文を記載する欄Ｄが用紙フォーマットとして設けられている。各欄に関しては図４で示される紙ブログ用紙と同様であるとしてここでは説明を省略する。
【０１４８】
本実施形態３に係る情報管理システム１では、図２１のような紙ブログ用紙において特に欄Ａには、他の人（第３者）のブログ（トラックバックのリンク先サイト）に付与するトラックバックのリンク元サイトの情報が当該情報管理システム１のプロバイダー等によりＵＲＬ等で予め印刷される。ユーザの手書き入力等により記載されてもよい。なお、欄Ａに記載されたトラックバックのリンク元サイトに係る情報が、後述する動作例において用いられる。
【０１４９】
図２２で示される紙ブログコメント用紙は、ブログのサイトに係る情報を記載する欄Ｅ、ブログの作成日付を記載する欄Ｆ、コメント内容を記載する欄Ｇが用紙フォーマットとして設けられている。欄Ｅ、Ｆに関しては図４で示される紙ブログ用紙と同様であるとしてここでは説明を省略する。図２２の欄Ｇには、ユーザの手書き入力等によりコメント内容が記載される。
【０１５０】
本実施形態３に係る情報管理システム１では、図２２のような紙ブログコメント用紙において特に欄Ｇのユーザの手書き入力等により、他の人（第３者）のブログ（トラックバックのリンク先サイト）に付与するコメント内容に係る情報が記載される。なお、欄Ｇに記載されたコメント内容に係る情報が、後述する動作例において用いられる。
【０１５１】
以上の図２１及び２２で示されるような用紙を用いることにより、本実施形態３に係る情報管理システム１では、複数の紙に書かれた情報に基づいて他の人（第３者）のブログに対してトラックバック又はコメントを付与する動作を実現する。以降、図２３を用いて該動作について詳細に説明を行う。
【０１５２】
ここでは、予めトラックバック又はコメントの付与のための用紙（図２１又は２２で示される用紙）のいずれかは、スキャナ、ＭＦＰ等の読取装置１０により画像として読み取られたものとする。このとき、他の人（第３者）のブログに係る情報が書かれた用紙（図１８で示される用紙）も同時にスキャナ、ＭＦＰ等の読取装置１０により画像として読み取られたものとする。なお、前者を第１の画像、後者を第２の画像として以降説明する。
【０１５３】
まず、画像情報抽出手段３１０は、読取手段１１０により読み取られた第１の画像がトラックバック又はコメントの付与のための用紙であるか否かを判定する（Ｓ５１）。トラックバック又はコメントの付与のための用紙であると判定すると（Ｓ５１、ＹＥＳ）、ステップＳ５２へ移る。トラックバック、コメントの付与のための用紙ではないと判定すると（Ｓ５１、ＮＯ）、ここでは処理を終了する。ここでは、読取手段１００により読み取られた画像は、ＯＣＲ等の画像処理を施されることにより上記の判定は実施される。
【０１５４】
ステップＳ５２へ移った場合、ステップＳ５１で読み取られた第１の画像がコメントの付与のための用紙（紙ブログコメント用紙）であるか否かを判定する（Ｓ５２）。紙ブログコメント用紙であると判定すると（Ｓ５２、ＹＥＳ）、ステップＳ５３へ移る。紙ブログコメント用紙でない、即ちトラックバックの付与のための用紙であると判定すると（Ｓ５２、ＮＯ）、ステップＳ５６へ移る。ここでの判定は、例えば紙ブログコメント用紙特有の情報であるコメント内容を記載する欄Ｇの有無に基づいて判定されてもよい。これにより、トラックバック又はコメントの付与のための用紙であることを判定する。
【０１５５】
なお、ステップＳ５１及びＳ５２の処理では、同時に読み取られた第１の画像と第２の画像の内のいずれかがコメント又はトラックバックの付与のための用紙であることを判定するための処理であれば、上記の場合に限らない。例えば、トラックバックの付与のための紙ブログ用紙にトラックバックのチェックボックスを設定し、明示的に指定してもよい。また、通常のブログを印刷した用紙と、紙ブログ用紙が同時に読み取られた場合にはトラックバックの付与のための用紙であると判定してもよい。
【０１５６】
ステップＳ５３へ移った場合、画像情報抽出手段３１０は、読取手段１１０により読み取られた第２の画像から「この記事のＵＲＬ」という文字を認識し、Ｎ字以内に「ｈｔｔｐ」で始まる連続する文字列を抽出する（Ｓ５３）。これにより第２の画像からコメントの格納位置を特定する位置特定情報を抽出する。
【０１５７】
続いてステップＳ５４へ移って、画像情報抽出手段３１０は、読取手段１１０により読み取られた第１の画像からコメントの情報を抽出する（Ｓ５４）。これにより第１の画像からコメントを抽出する。
【０１５８】
ステップＳ５５へ移って、管理情報作成手段３２０は、ステップＳ５３及びＳ５４において抽出された情報に基づいて他の人（第３者）のブログに対してコメントを付与するためのフォーマットのディレクトリ情報等のデータを作成する（Ｓ５５）。
【０１５９】
ステップＳ５６へ移った場合、ステップＳ５１で読み取られた第１の画像はトラックバックの付与のための用紙であると判定されたので、画像情報抽出手段３１０は、ブログデータを抽出する（Ｓ５６）。これにより第１の画像からトラックバックのリンク元となるブログデータを抽出する。
【０１６０】
続いてステップＳ５７へ移って、画像情報抽出手段３１０は、読取手段１００により読み取られた第２の画像があるか否かを判定する（Ｓ５７）。第２の画像があると判定すると（Ｓ５７、ＹＥＳ）、ステップＳ５８へ移る。第２の画像がないと判定すると（Ｓ５７、ＮＯ）、ここでは処理を終了する。
【０１６１】
ステップＳ５８へ移った場合、画像情報抽出手段３１０は、第２の画像から「トラックバック」「ＵＲＬ」という文字を認識し、Ｎ字以内に「ｈｔｔｐ」で始まる連続する文字列を抽出する（Ｓ５８）。これにより、第２の画像からトラックバックのリンク先となるブログデータを抽出する。
【０１６２】
ステップＳ５９へ移って、管理情報作成手段３２０は、ステップＳ５６及びＳ５８において抽出された情報に基づいて他の人（第３者）のブログに対してトラックバックを付与するためのフォーマットのディレクトリ情報等のデータを作成する（Ｓ５９）。
【０１６３】
なお、ステップＳ５５又はＳ５９において作成されたデータは、送受信手段３４、４４を介してウェブサーバ装置４０に送信される。さらに、ディレクトリ情報を受信したウェブサーバ装置４０の情報管理部４１０は、ディレクトリ情報に基づいてデータベース４５に格納された他の人（第３者）のブログに対してトラックバック又はコメントを付与する動作を行う。
【０１６４】
以上に示される動作により、本実施形態３に係る情報管理システム１では、複数の紙に書かれた情報に基づいて他の人（第３者）のブログに対してトラックバック又はコメントを付与する動作を行う。
【０１６５】
そのため、以下に掲げる利点を奏する。その利点とは、前述の実施形態１における利点に加えて、他のユーザ（第３者）の書いたブログに対してトラックバック又はコメントを付与することができるので、パソコンがなくてもネット上でのブログをもとにした情報の交流をすることができることである。
【０１６６】
なお、以上の説明において、コメントとコメントデータ、及び、トラックバックとトラックバックデータは同義であるものとする。
【０１６７】
以上、各実施形態に基づき本発明の説明を行ってきたが、上記各実施形態にあげたその他の要素との組み合わせなど、ここで示した要件に本発明が限定されるものではない。これらの点に関しては、本発明の主旨をそこなわない範囲で変更することが可能であり、その応用形態に応じて適切に定めることができる。
【図面の簡単な説明】
【０１６８】
【図１】本実施形態１に係る情報管理システムの概要を示す図である。
【図２】本実施形態１に係る情報管理システムの構成例を示す図である。
【図３】本実施形態１に係る情報管理システムの機能の構成例を示す図である。
【図４】本実施形態１に係る紙ブログ用紙の例を示す図である。
【図５】本実施形態１に係る紙ブログ用紙とブログデータの対応例を示す表である。
【図６】本実施形態１に係る管理情報作成装置３０の行う動作例を示すフローチャートである。
【図７】本実施形態１に係る画像情報抽出手段３１０の行う動作例を示すフローチャートである。
【図８】本実施形態１に係る紙ブログ用紙の記入例を示す図である。
【図９】本実施形態１に係る紙ブログ用紙に基づいたブログデータの抽出結果の例を示す図である。
【図１０】本実施形態１に係る紙ブログ用紙に基づいて作成されたブログの表示例を示す図である。
【図１１】本実施形態２に係る情報管理システムの概要を示す図である。
【図１２】本実施形態２に係る情報管理システムの構成例を示す図である。
【図１３】本実施形態２に係る情報管理システムの機能の構成例を示す図である。
【図１４】本実施形態２に係る紙ブログコマンド用紙の例を示す図である。
【図１５】本実施形態２に係る情報管理システム１の行う出力動作例を示すフローチャートである。
【図１６】本実施形態２の出力動作例に係る印刷出力例を示す図である。
【図１７】本実施形態２の出力動作例の変形例を示すフローチャートである。
【図１８】本実施形態２の出力動作例の変形例に係る印刷出力例を示す図である。
【図１９】本実施形態２に係る情報管理システム１の行う削除動作例を示すフローチャートである。
【図２０】本実施形態３に係る情報管理システムの概要を示す図である。
【図２１】本実施形態３に係るトラックバックの付与を説明するための図である。
【図２２】本実施形態３に係るコメントの付与を説明するための図である。
【図２３】本実施形態３に係る管理情報作成装置３０の行う動作例を示すフローチャートである。
【符号の説明】
【０１６９】
１    情報管理システム
１０  読取装置
２０  情報管理装置
３０  管理情報作成装置
４０  ウェブサーバ装置
４５  データベース
５０  出力装置
１１０  読取手段
３１０  画像情報抽出手段
３２０  管理情報作成手段
３３０  出力画像作成手段
４１０  情報管理部
４２０  ユーザ認証手段
４３０  データベース制御手段
５００  出力手段
【図１】
2008236264.tif 000003
【図２】
2008236264.tif 000004
【図３】
2008236264.tif 000005
【図４】
2008236264.tif 000006
【図５】
2008236264.tif 000007
【図６】
2008236264.tif 000008
【図７】
2008236264.tif 000009
【図８】
2008236264.tif 000010
【図９】
2008236264.tif 000011
【図１０】
2008236264.tif 000012
【図１１】
2008236264.tif 000013
【図１２】
2008236264.tif 000014
【図１３】
2008236264.tif 000015
【図１４】
2008236264.tif 000016
【図１５】
2008236264.tif 000017
【図１６】
2008236264.tif 000018
【図１７】
2008236264.tif 000019
【図１８】
2008236264.tif 000020
【図１９】
2008236264.tif 000021
【図２０】
2008236264.tif 000022
【図２１】
2008236264.tif 000023
【図２２】
2008236264.tif 000024
【図２３】
2008236264.tif 000025